(57)【要約】      （修正有）【課題】クラウン後部でのベンチレーションが可能な帽子を提供する。【解決手段】半球状のクラウン１０と、クラウン前部１１，１２の下縁から前方に突出して設けられた前鍔２０とを備えた帽子を、クラウン後部１５，１６の下縁に後側切欠部１０ａを有するものとし、通気性を有するベンチレーション用メッシュ生地６０を、クラウン後部１５，１６の内側に重なる状態で後側切欠部１０ａの周辺に設け、クラウン後部１５，１６における後側切欠部１０ａとの境界となる端縁に、ベンチレーション用メッシュ生地６０に縫合されない非縫合区間を設けた。これにより、後側切欠部１０ａの周辺の空気を前記非縫合区間からベンチレーション用メッシュ生地６０とクラウン後部１５，１６との隙間に導入、又は、クラウン１０の内部の空気を、ベンチレーション用メッシュ生地６０とクラウン後部１５，１６との隙間を通じて前記非縫合区間から排出できるようになる。【選択図】図２
2022001681.tif 000002
【特許請求の範囲】
【請求項１】
着用者の頭部を覆う半球状のクラウンと、
クラウン前部の下縁から前方に突出して設けられた前鍔と
を備えた帽子であって、
クラウン後部の下縁に後側切欠部を有し、
通気性を有するベンチレーション用メッシュ生地が、クラウン後部の内側に重なる状態で、後側切欠部の周辺に設けられ、
クラウン後部における後側切欠部との境界となる端縁（以下「クラウン後部の切欠端縁」という。）に、ベンチレーション用メッシュ生地に縫合されない非縫合区間が設けられ、
後側切欠部の周辺の空気を前記非縫合区間からベンチレーション用メッシュ生地とクラウン後部との隙間に導入、又は、クラウン内部の空気を、ベンチレーション用メッシュ生地とクラウン後部との隙間を通じて前記非縫合区間から排出できるようにした
ことを特徴とする帽子。
【請求項２】
ベンチレーション用メッシュ生地が、クラウン後部における後側切欠部よりも左側に位置する部分の下縁（以下「クラウン後部の左側下縁」という。）から、クラウン後部における後側切欠部よりも右側に位置する部分の下縁（以下「クラウン後部の右側下縁」という。）に至るまで、クラウン後部の切欠端縁に沿って帯状に設けられた請求項１記載の帽子。
【請求項３】
ベンチレーション用メッシュ生地が、クラウン後部の左側下縁及び右側下縁に対して縫着された請求項２記載の帽子。
【請求項４】
ベンチレーション用メッシュ生地が、クラウン後部の切欠端縁の中間部周辺に対してスポット的に縫着された請求項１又は２記載の帽子。
【請求項５】
ベンチレーション用メッシュ生地に、クラウン後部の切欠端縁から下側に露出する露出部が設けられた請求項１〜４いずれか記載の帽子。
【請求項６】
後側切欠部が半円状に形成され、
前記露出部が、クラウン後部の切欠端縁に沿って円弧状に形成された
請求項５記載の帽子。
【発明の詳細な説明】
【技術分野】
【０００１】
本発明は、帽子に関する。
【背景技術】
【０００２】
クラウン（帽子における着用者の頭部を覆う部分）の内部と外部とで換気（ベンチレーション）を行うことができるようにした帽子は、これまでに各種のものが提案されている。例えば、特許文献１の図１には、帽子本体２（クラウン）を、クラウン前部を形成する２枚の第一生地４Ａと、クラウン横部及びクラウン後部を形成する４枚の第二生地４Ｂとで構成し、４枚の第二生地４Ｂを、通気性を有するメッシュ状部材（メッシュ生地）で形成した帽子１が記載されている。これにより、クラウン横部やクラウン後部の通気性を良好にし、帽子の着用者が感じる暑さを軽減することができる。
【先行技術文献】
【特許文献】
【０００３】
【特許文献１】特開２００９−１６１８８０号公報
【発明の概要】
【発明が解決しようとする課題】
【０００４】
ところが、クラウン横部やクラウン後部の全体を薄手のメッシュ生地や目の大きなメッシュ生地で形成すると、帽子の見た目がチープになりやすい。また、クラウンの外面に落ちた雨水等がメッシュ生地に染み込んで、帽子の着用者の頭部における広い範囲が雨に濡れるという欠点もある。この点、上記の特許文献１の帽子では、クラウン横部及びクラウン後部を形成する第二生地４Ｂに撥水処理を施すことで雨水の問題の解決を図っている。しかし、撥水処理を施すと、メッシュ生地の通気性が犠牲になり、クラウン内部が汗等で蒸れやすくなるという問題が生ずる。
【０００５】
本発明は、上記課題を解決するために為されたものであり、クラウン後部でのベンチレーションが可能でありながらも、見た目が良い帽子を提供するものである。また、クラウン後部でのベンチレーションが可能でありながらも、クラウン内部に雨水が侵入しにくい構造の帽子を提供することも本発明の目的である。
【課題を解決するための手段】
【０００６】
上記課題は、
着用者の頭部を覆う半球状のクラウンと、
クラウン前部の下縁から前方に突出して設けられた前鍔と
を備えた帽子であって、
クラウン後部の下縁に後側切欠部を有し、
通気性を有するベンチレーション用メッシュ生地が、クラウン後部の内側に重なる状態で、後側切欠部の周辺に設けられ、
クラウン後部における後側切欠部との境界となる端縁（以下「クラウン後部の切欠端縁」という。）に、ベンチレーション用メッシュ生地に縫合されない非縫合区間が設けられ、
後側切欠部の周辺の空気を前記非縫合区間からベンチレーション用メッシュ生地とクラウン後部との隙間に導入、又は、クラウン内部の空気を、ベンチレーション用メッシュ生地とクラウン後部との隙間を通じて前記非縫合区間から排出できるようにした
ことを特徴とする帽子
を提供することによって解決される。
【０００７】
本発明の帽子は、後側切欠部の周辺に設けたベンチレーション用メッシュ生地によって、クラウン後部でのベンチレーションを行うものとなっている。このため、クラウン横部やクラウン後部を、薄手のメッシュ生地や目の大きなメッシュ生地で形成しなくても、クラウン後部でのベンチレーションを行うことができる。また、クラウン横部やクラウン後部を、高級感のある生地で形成することができるため、帽子の見た目を良くすることができる。加えて、クラウン横部やクラウン後部を防水性に優れた生地で形成することもできるため、クラウン内部に雨水が侵入しないようにすることもできる。
【０００８】
本発明の帽子においては、ベンチレーション用メッシュ生地を、クラウン後部における後側切欠部よりも左側に位置する部分の下縁（以下「クラウン後部の左側下縁」という。）から、クラウン後部における後側切欠部よりも右側に位置する部分の下縁（以下「クラウン後部の右側下縁」という。）に至るまで、クラウン後部の切欠端縁に沿って帯状に設けることが好ましい。これにより、クラウン後部の切欠端縁における広い範囲でベンチレーションを行うことが可能になる。このときには、ベンチレーション用メッシュ生地を、クラウン後部の左側下縁及び右側下縁に対して縫着することが好ましい。
【０００９】
本発明の帽子においては、ベンチレーション用メッシュ生地を、クラウン後部の切欠端縁の中間部周辺に対してスポット的に縫着することも好ましい。というのも、ベンチレーション用メッシュ生地におけるクラウン後部の切欠端縁に沿った全区間が非縫合区間になっていると、ベンチレーション用メッシュ生地の中央部分全体が、クラウン後部の切欠端縁から下側にズレ出て露出した状態となるおそれがある。このような状態になると、帽子の見た目が悪くなる。加えて、ベンチレーション用メッシュ生地とクラウン後部との間に隙間が形成されなくなり、クラウン後部で所望のベンチレーションを行うことができなくなるおそれもある。この点、ベンチレーション用メッシュ生地をクラウン後部の切欠端縁に対してスポット的に縫着することで、ベンチレーション用メッシュ生地の中央部分が下側にズレないようにすることが可能になるからである。
【００１０】
本発明の帽子においては、ベンチレーション用メッシュ生地に、クラウン後部の切欠端縁から下側に露出する露出部を設けることも好ましい。これにより、ベンチレーション用メッシュ生地の露出部に当たった空気を露出部表面で案内し、その空気を、ベンチレーション用メッシュ生地とクラウン後部との隙間に導入されやすくすることができる。ただし、このときには、露出したベンチレーション用メッシュ生地によって防止の見た目が悪くなるおそれがある。このため、後側切欠部を半円状に形成し、前記露出部を、クラウン後部の切欠端縁に沿って円弧状に形成することが好ましい。これにより、ベンチレーション用メッシュ生地の露出部をバランスよく違和感の少ない状態で見せることが可能になる。
【発明の効果】
【００１１】
以上のように、本発明によって、クラウン後部でのベンチレーションが可能でありながらも、見た目が良い帽子を提供することが可能になる。また、クラウン後部でのベンチレーションが可能でありながらも、クラウン内部に雨水が侵入しにくい構造の帽子を提供することも可能になる。
【図面の簡単な説明】
【００１２】
【図１】本発明の帽子を前方から見た状態を示した斜視図である。
【図２】本発明の帽子を後方から見た状態を示した斜視図である。
【図３】本発明の帽子を下方から見た状態を示した底面図である。
【図４】本発明の帽子におけるクラウン後部を、左右方向に垂直な平面で切断した状態を拡大して示した断面図である。
【図５】本発明の帽子におけるクラウン前部の下縁中央部周辺を拡大して示した斜視図である。
【図６】本発明の帽子におけるクラウン前部及び前鍔を、左右方向に垂直な平面で切断した状態を示した端面図である。
【図７】本発明の帽子におけるクラウンを下方から見た状態を示した底面図であって、クラウンに対して前立て等を縫着する前の状態を示した図である。
【図８】本発明の帽子におけるクラウンを下方から見た状態を示した底面図であって、クラウンに対して前立て等を縫着した後の状態を示した図である。
【図９】本発明の帽子におけるビン皮を下方から見た状態を示した底面図である。
【発明を実施するための形態】
【００１３】
本発明の帽子の好適な実施形態について、図面を用いてより具体的に説明する。図１は、本発明の帽子を前方から見た状態を示した斜視図である。図２は、本発明の帽子を後方から見た状態を示した斜視図である。本発明の帽子は、図１及び図２に示すように、クラウン１０と前鍔２０とを備えている。クラウン１０は、着用者の頭部を覆うためのものとなっている。前鍔２０は、帽子の着用者の目に日光が入らないようにするための部分（庇としての機能を発揮する部分）となっている。
【００１４】
図３は、本発明の帽子を下方から見た状態を示した底面図である。本実施形態の帽子においては、図３に示すように、クラウン１０の内側に、前立て３０とビン皮４０も設けている。前立て３０は、クラウン１０の前側部分（後述するクラウン前部１１，１２）を内側から補強することで、クラウン前部１１，１２の型崩れを防止したり、クラウン前部１１，１２に表したマーク７０（エンブレム）が後方へ倒れたりしないようにするために、クラウン前部１１，１２の内側に宛がわれる保形用の面状芯材となっている。ビン皮４０は、着用者の頭部の汗を吸い取るため部分となっている。
【００１５】
また、本発明の帽子においては、図２及び図３に示すように、クラウン１０の後側部分（後述するクラウン後部１５，１６）の下縁に沿った箇所に、切欠部１０ａ（後側切欠部）を設けており、この後側切欠部１０ａに、サイズ調節ベルト５０を取り付けている。このため、クラウン１０の下縁部の周長を、帽子の着用者の頭囲に応じて調節することが可能となっている。牛側切欠部１０ａの形状は、特に限定されない。本実施形態の帽子においては、後側切欠部１０ｗ−を半円状に形成している。
【００１６】
以下、本発明の帽子を構成する各部材について詳しく説明する。
【００１７】
１．クラウン
クラウン１０は、図１に示すように、半球状を為している。クラウン１０は、通常、複数枚の生地を繋ぎ合わせることによって形成される。本実施形態の帽子においても、クラウン左前部１１を形成する生地と、クラウン右前部１２を形成する生地と、クラウン左横部１３を形成する生地と、クラウン右横部１４を形成する生地と、クラウン左後部１５を形成する生地と、クラウン右後部１６を形成する生地との計６枚の生地（れんげ）を繋ぎ合わせることによって、クラウン１０を形成している。以下においては、クラウン左前部１１及びクラウン右前部１２を「クラウン前部１１，１２」と表記し、クラウン左横部１３及びクラウン右横部１４を「クラウン横部１３，１４」と表記し、クラウン左後部１５及びクラウン右後部１６を「クラウン後部１５，１６」と表記することがある。
【００１８】
クラウン１０を構成する複数枚の生地（れんげ）の繋ぎ合わせは、通常、縫合によって行われる。しかし、シームレス加工（例えば、超音波による振動で生地同士を摩擦することで熱を発生させ、生地を溶融させて互いに溶着させる加工等）によって生地（れんげ）を繋ぎ合わせる場合もある。シームレス加工によって、クラウン１０に縫い目が形成されないようにし、帽子の見た目をさらに良くすることができる。
【００１９】
また、クラウン後部１５，１６には、既に述べたように、後側切欠部１０ａを設けているところ、図２及び図３に示すように、この後側切欠部１０ａの上縁を縁取りするように、ベンチレーション用メッシュ生地６０をクラウン１０の内側から宛がっている。このベンチレーション用メッシュ生地６０は、クラウン１０に重ならず、後側切欠部１０ａから露出する露出部６１と、クラウン１０に重なって、後側切欠部１０ａから露出しない非露出部６２（図２においては非露出部６２を斜線ハッチングで示している。）とを有している。
【００２０】
本実施形態の帽子において、ベンチレーション用メッシュ生地６０は、図２に示すように、アーチ状（円弧状）を為している。このベンチレーション用メッシュ生地６０は、その左側と右側の下縁に沿った箇所α（図３）では、クラウン１０に対して縫着されているものの、他の箇所（後述するベンチレーション用メッシュ生地６０の中心の箇所β（図３）を除く。）では、クラウン１０に対して縫着されず、ふらされた状態となっている。
【００２１】
図４は、本発明に係る帽子におけるクラウン後部１５，１６を、左右方向に垂直な平面で切断した状態を拡大して示した断面図である。本実施形態の帽子では、上記のように、ベンチレーション用メッシュ生地６０を設けるとともに、それをふらした状態としたことで、図４の矢印γ１に示すように、後側切欠部１０ａの付近にある空気Ａ１を、ベンチレーション用メッシュ生地６０を通じてクラウン１０の内部に取り込むだけでなく、同図の矢印γ２に示すように、後側切欠部１０ａの付近にある空気Ａ１を、クラウン１０とベンチレーション用メッシュ生地６０との隙間を通じてクラウン１０の内部に取り込むことができるようになっている。また逆に、クラウン１０の内側の空気を後側切欠部１０ａ付近からクラウン１０の外側へ排出することができるようになっている。したがって、クラウン１０の後側部分でベンチレーションを行うことができるようになっている。
【００２２】
ただし、ベンチレーション用メッシュ生地６０の左側及び右側の下縁のみをクラウン１０に縫着しただけでは、ベンチレーション用メッシュ生地６０の中央部分全体が、クラウン１０から浮いた状態となるため、本来は、非露出部６２であるべき部分が下側にズレ出て後側切欠部１０ａから露出した状態となるおそれがある。このような状態になると、帽子の見た目が悪くなるだけでなく、クラウン１０の後側部分で所望のベンチレーションを行うことができなくなるおそれもある。
【００２３】
このため、本実施形態の帽子では、ベンチレーション用メッシュ生地６０の中央付近の箇所β（図３）でも、ベンチレーション用メッシュ生地６０をクラウン１０に対してスポット的に縫着している。これにより、図４の矢印γ２の空気の流れを阻害することなく、ベンチレーション用メッシュ生地６０が後側切欠部１０ａからズレ出てこないように、クラウン１０に対してベンチレーション用メッシュ生地６０の中央部分を位置決めすることが可能となっている。
【００２４】
図３に示した例では、ベンチレーション用メッシュ生地６０とクラウン１０とをスポット的に縫着する箇所βを、クラウン１０における、後側切欠部１０ａの上縁に沿った領域の左右方向中央付近に１箇所のみに設けたが、当該上縁に沿った領域の複数個所に設けてもよい。しかし、スポット的に縫着する箇所βを多く設けすぎると、図４の矢印γ２の空気の流れが生じにくくなって、クラウン１０の後側部分におけるベンチレーション効果が限定的になるおそれがある。このため、スポット的に縫着する箇所βの数は、多くても５〜７箇所程度に抑えることが好ましい。
【００２５】
ベンチレーション用メッシュ生地６０の箇所βにおける縫着は、波縫いや返し縫い等の直線縫いであってもよい。しかし、箇所βにおける縫着は、スポット的であることに加えて、縫着される対象の生地の一方がメッシュ生地（ベンチレーション用メッシュ生地６０）であるため、直線縫いでは縫い目が解れるおそれがある。このため、本実施形態の帽子では、箇所βにおける縫着は、閂止めによって行っている。
【００２６】
ところで、ベンチレーション用メッシュ生地６０における露出部６１の幅Ｗ１（図４）が狭すぎると、図４の矢印γ２の空気の流れが生じにくくなる。このため、露出部６１の幅Ｗ１（場所によって幅Ｗ１が異なる場合には、その最小値。以下、幅Ｗ１の下限値において同じ。）は、５ｍｍ以上確保することが好ましく、１０ｍｍ以上確保することがより好ましい。ただし、露出部６１の幅Ｗ１を広くしすぎると、サイズ調節ベルト５０を短めに設定したときに、露出部６１に目立つシワが形成されやすくなる等、帽子の見た目が悪くなるおそれがある。このため、露出部６１の幅Ｗ１（場所によって幅Ｗ１が異なる場合には、その最大値。以下、幅Ｗ１の上限値において同じ。）は、５０ｍｍ以下に抑えることが好ましく、３０ｍｍ以下に抑えることがより好ましい。
【００２７】
また、ベンチレーション用メッシュ生地６０における非露出部６２の幅Ｗ２（図４）が狭すぎても、図４の矢印γ２の空気の流れが生じにくくなる。加えて、ベンチレーション用メッシュ生地６０の上縁が後側切欠部１０ａから露出しやすくなる。このため、露出部６１の幅Ｗ２（場所によって幅Ｗ２が異なる場合には、その最小値。以下、幅Ｗ２の下限値において同じ。）は、５ｍｍ以上確保することが好ましく、１０ｍｍ以上確保することがより好ましい。ただし、非露出部６２の幅Ｗ２を広くしすぎると、非露出部６２の面積が広くなりすぎてしまい、非露出部６２をクラウン１０の内面に綺麗に沿わせにくくなる。このため、非露出部６２の幅Ｗ２（場所によって幅Ｗ２が異なる場合には、その最大値。以下、幅Ｗ２の上限値において同じ。）は、５０ｍｍ以下に抑えることが好ましく、３０ｍｍ以下に抑えることがより好ましい。
【００２８】
さらに、本実施形態の帽子では、図５に示すように、クラウン前部１１，１２の下縁中央部にも切欠部１０ｂ（前側切欠部）を設けている。図５は、本発明の帽子におけるクラウン前部１１，１２の下縁中央部周辺を拡大して示した斜視図である。クラウン前部１１，１２の内側には、図６に示すように、前立て３０が位置しており、前側切欠部１０ｂからは、クラウン前部１１，１２の裏側（内側）に配されたメッシュ生地からなる前立て３０の下部が露出した状態となっている。図６は、本発明の帽子におけるクラウン前部１１，１２及び前鍔２０を、左右方向に垂直な平面で切断した状態を示した端面図である。
【００２９】
上記のように、クラウン前部１１，１２に前側切欠部１０ｂを設けたことによって、図６の矢印γ３，γ４に示すように、クラウン１０の前方にある空気Ａ２，Ａ３を、前側切欠部１０ｂを通じてクラウン１０の内部に取り込むことができるようになっている。また逆に、クラウン１０の内側の空気を前側切欠部１０ｂからクラウン１０の外側へ排出することができるようになっている。したがって、クラウン１０の前側部分でベンチレーションを行うことができるようになっている。
【００３０】
前側切欠部１０ｂを設ける場所は、クラウン前部１１，１２であれば、特に限定されない。しかし、前側切欠部１０ｂを目立ちやすい箇所に設けることは好ましくない。このため、本実施形態の帽子においては、クラウン前部１１，１２における、クラウン１０の下縁に沿った箇所（前鍔２０との境界部付近）に、前側切欠部１０ｂを設けている。これにより、前側切欠部１０ｂを目立ちにくくして、帽子の見た目を良くすることが可能となっている。また、クラウン前部１１，１２の中央部分にエンブレムを表わす等、帽子のデザインの自由度を高めることもできる。
【００３１】
また、前側切欠部１０ｂからクラウン１０の内側に取り入れられた空気は、着用者の頭部の表面に沿って流れるようになるところ、前側切欠部１０ｂよりも下側には行きにくい。この点、前側切欠部１０ｂを設ける場所自体を、クラウン１０の下縁部に沿った箇所（低い位置）としたことによって、前側切欠部１０ｂからクラウン１０の内側に取り入れられた空気を、クラウン１０の内側における広い範囲に行き渡らせることも可能となっている。本実施形態の帽子においては、前側切欠部１０ｂを１箇所のみに設けているが、複数個所に分断して設けてもよい。
【００３２】
前側切欠部１０ｂの横幅Ｗ３（図５）は、ある程度広く確保される。前側切欠部１０ｂの横幅Ｗ３が狭すぎると、クラウン１０の前側部分のベンチレーションが効率的に行われにくくなるからである。前側切欠部１０ｂの横幅Ｗ３（上下位置によって横幅Ｗ３が異なる場合にはその最大値。以下同じ。）は、５０ｍｍ以上とすることが好ましく、１００ｍｍ以上とすることがより好ましい。ただし、前側切欠部１０ｂの横幅Ｗ３が広すぎると、空気取入口１０が目立ちやすくなるおそれがある。このため、前側切欠部１０ｂの横幅Ｗ３は、２００ｍｍ以下とすることが好ましく、１５０ｍｍ以下とすることがより好ましい。
【００３３】
また、前側切欠部１０ｂの縦幅Ｗ４（図５）も、ある程度広く確保される。前側切欠部１０ｂの縦幅Ｗ４が狭すぎると、クラウン１０のベンチレーションが効率的に行われにくくなるからである。前側切欠部１０ｂの縦幅Ｗ４（左右位置によって縦幅Ｗ４が異なる場合にはその最大値。以下同じ。）は、３ｍｍ以上とすることが好ましく、５ｍｍ以上とすることがより好ましい。ただし、前側切欠部１０ｂの縦幅Ｗ４を広くしすぎると、空気取入口１０が目立ちやすくなるおそれがある。このため、前側切欠部１０ｂの縦幅Ｗ４は、５０ｍｍ以下とすることが好ましく、３０ｍｍ以下とすることがより好ましい。
【００３４】
２．前鍔
前鍔２０は、クラウン前部１１，１２の下縁から前方に突出して設けられている。本実施形態の帽子においては、図６に示すように、前鍔２０を、前鍔２０の保形を行う保形芯２１と、保形芯２１の上側を覆う上側生地２２ａ，２２ｂと、保形芯２１の下側を覆う下側生地２３とで構成している。保形芯２１は、樹脂やエラストマーや厚紙等、ある程度の厚みと硬さを有する素材で形成される。また、上側生地２２ａは、薄手のメッシュ生地となっており、上側生地２２ｂは、厚手のメッシュ生地となっている。さらに、下側生地２３は、薄手のメッシュ生地となっている。
【００３５】
本実施形態の帽子は、既に述べたように、クラウン前部１１，１２に設けた前側切欠部１０ｂを通じてクラウン１０のベンチレーションを行うものとなっている。しかし、前側切欠部１０ｂを設けただけでは、前鍔２０の上面側にある空気Ａ２（図６）を前側切欠部１０ｂからクラウン１０の内側に取り入れることができても、前鍔２０の下面側にある空気Ａ３（図６）を前側切欠部１０ｂからクラウン１０の内側に取り入れることができない。このため、前側切欠部１０ｂにより得られるベンチレーション効果が限定的になる。
【００３６】
このため、本実施形態の帽子においては、前鍔２０の基端（クラウン１０の下縁に接続される側の端縁）寄りの部分に、空気透過部２０ａを設けている。この空気透過部２０ａを設けたことによって、前鍔２０の下面側の空気Ａ２が、空気透過部２０ａを透過して前鍔２０の上面側に移動し、前側切欠部１０ｂからクラウン１０の内側に取り込まれるようになる。したがって、クラウン１０の前側部分のベンチレーションをより効果的に行うことが可能となっている。
【００３７】
空気透過部２０ａは、前鍔２０の基端寄りの部分に設けられるのであれば、その配置を特に限定されない。本実施形態の帽子においては、前鍔２０の基端縁に達する状態で空気透過部２０ａを設けている。具体的には、前鍔２０の保形芯２１（図６）の基端縁中央部に切欠部を設け、その切欠部が空気透過部２０ａとして機能するようにしている。
【００３８】
これにより、前側切欠部１０ｂに連続する形で空気透過部２０ａを設け、空気透過部２０ａを下側から上側に透過してきた空気（前鍔２０の下面側にあった空気Ａ３）が前側切欠部１０ｂに効率的に取り込まれるようになっている。加えて、帽子の着用者の額に保形芯２１の基端縁が突き当たりにくくして、帽子の被り心地が良くなっている。本実施形態の帽子においては、空気透過部２０ａを１箇所のみに設けているが、複数個所に分断して設けることもできる。
【００３９】
空気透過部２０ａの形態は、特に限定されない。本実施形態の帽子においては、図５に示すように、空気透過部２０ａを半円形状に設けている。換言すると、前鍔２０の保形芯２１をＵ字状に形成し、その保形芯２１における半円形状に凹んだ部分が、空気透過部２０ａとなるようにしている。このため、空気透過部２０ａを広く確保しながらも、保形芯２１をシンプルで安定性に優れた形態とすることが可能となっている。
【００４０】
前鍔２０の下面側にある空気Ａ３（図６）が空気透過部２０ａを通過しやすくするためには、空気透過部２０ａの面積を、ある程度大きくすることが好ましい。具体的には、空気透過部２０ａの面積（空気透過部２０ａを複数個所に分断して設ける場合には、それぞれの空気透過部２０ａの面積を合計した値。以下同じ。）を、１０ｃｍ２以上とすることが好ましく、１５ｃｍ２以上とすることがより好ましい。ただし、空気透過部２０ａの面積を大きくしすぎると、前鍔２０の形態を維持しにくくなるおそれがある。このため、空気透過部２０ａの面積は、広くしすぎるのもよくない。空気透過部２０ａの面積は、５０ｃｍ２以下とすることが好ましく、３０ｃｍ２以下とすることがより好ましい。
【００４１】
空気透過部２０ａの横幅Ｗ５（図３）は、ある程度広く確保する。空気透過部２０ａの横幅Ｗ５が狭いと、空気透過部２０ａを通過する空気の流量を確保しにくくなるからである。空気透過部２０ａの横幅Ｗ５（前後位置によって縦幅Ｗ５が異なる場合にはその最大値。以下同じ。）は、５０ｍｍ以上とすることが好ましく、１００ｍｍ以上とすることがより好ましい。ただし、空気透過部２０ａの横幅Ｗ５を広くしすぎると、クラウン１０に対して前鍔２０をしっかりと固定しにくくなり（前鍔２０の向きを安定させにくくなり）、前鍔２０が垂れ下がりやすくなる。このため、空気透過部２０ａの横幅Ｗ５は、１７０ｍｍ以下とすることが好ましく、１５０ｍｍ以下とすることがより好ましい。
【００４２】
空気透過部２０ａの縦幅Ｗ６（図３）も、ある程度広く確保する。空気透過部２０ａの縦幅Ｗ６が狭いと、前鍔２０の下面側にある空気Ａ３（図６）が空気透過部２０ａを通じて前鍔１０の上面側に透過しにくくなるからである。空気透過部２０ａの横幅Ｗ５は、１０ｍｍ以上とすることが好ましく、３０ｍｍ以上とすることがより好ましい。ただし、空気透過部２０ａの縦幅Ｗ６を広くしすぎると、空気透過部２０ａが前鍔２０の先端縁（前端縁）近くまで延在するようになり、前鍔２０の強度を維持しにくくなるおそれもある。空気透過部２０ａの縦幅Ｗ６は、１００ｍｍ以下とすることが好ましく、５０ｍｍ以下とすることがより好ましい。
【００４３】
既に述べたように、本実施形態の帽子においては、空気透過部２０ａを、前鍔２０の保形芯２１に設けた開口部（乃至は切欠部）の形態で設けている。この空気透過部２０ａは、開口したままとしてもよいが、この場合には、空気透過部２０ａを通じて帽子着用者の目に日光が入りやすくなり、前鍔２０が庇としての機能を発揮しにくくなる。加えて、空気透過部２０ａが目立ちやすくなり、帽子の見た目が悪くなるおそれもある。
【００４４】
このため、本実施形態の帽子においては、図５に示すように、空気透過部２０ａを、メッシュ生地で覆っている。具体的には、図６に示すように、前鍔２０を、保形芯２１と、前鍔２０における上側生地２２ａ，２２ｂ及び下側生地２３をメッシュ生地で形成したところ、保形芯２１を切り欠いた部分（空気透過部２０ａとなる部分）に、上側生地２２ａ，２２ｂ及び下側生地２３を延在させている。これにより、空気透過部２０ａが設けられた帽子をスタイリッシュに見せることが可能となっている。
【００４５】
３．前立て
前立て３０は、保形性を有するメッシュ生地によって形成されている。前立て３０の縁部には、縁取りを施しており、解れが生じないようにしている。一般的な前立て付きの帽子では、前立て３０は、その下縁全体を、クラウン１０に対して縫着されるところ、本実施形態の帽子では、クラウン前部１１，１２の下縁中央部に前側切欠部１０ｂを設けたため、前側切欠部１０ｂが存在する区間では、前立て３０の下縁をクラウン１０に縫着することができない。このため、本実施形態の帽子では、前立て３０の下縁は、その左右両端部（図１における区間δ）では、クラウン１０に対して縫着しているものの、その間の区間（前側切欠部１０ｂが存在する区間）では、クラウン１０に対して縫着せず、前鍔２０の基端縁（後端縁）に対して縫着している。
【００４６】
加えて、一般的な前立て付きの帽子では、前立て３０の下縁以外の縁部（左右の側縁及び上側の側縁）は、クラウン１０に対して縫着されておらず、ふらされた状態となっている。これに対し、本実施形態の帽子では、後述するように、前立て３０の左右の側縁も、クラウン１０に対して縫着している。具体的には、前立て３０の左側の側縁を、クラウン左前部１１とクラウン左横部１３との境界に沿って縫着しており、前立て３０の右側の側縁を、クラウン右前部１２とクラウン右横部１４との境界に沿って縫着している。このように、前立て３０をクラウン１０に対してしっかりと固定することで、前立て３０でクラウン前部１１，１２を内側からしっかりと補強し、クラウン前部１１，１２の型崩れをより確実に防止することが可能となっている。
【００４７】
前立て３０の形状は、クラウン１０の形状等に応じて適宜決定される。本実施形態の帽子においては、上縁中央部が円弧状に盛り上がった形状の前立て３０を、クラウン１０の形状に沿うように、クラウン前部１１，１２の下縁部に沿って湾曲させている。図３に示すように、クラウン１０の内側を下側から見たときには、前立て３０がＵ字状乃至はＶ字状に見えるようになっている。この他、前立て３０は、クラウン前部１１，１２を形成する生地（れんげ）に倣った三角形状に形成することもできる。
【００４８】
前立て３０をクラウン前部１１，１２におけるどの程度の高さまで設けるかは特に限定されない。しかし、前立て３０が低いと、前立て３０でクラウン前部１１，１２をしっかりと補強することができなくなる。加えて、本発明の帽子において、前立て３０は、上記の前側切欠部１０ｂを内側から覆う機能をも有するところ、前立て３０が低いと、前側切欠部１０ｂの全体を前立て３０で覆うことができなくなるおそれもある。
【００４９】
このため、前立て３０は、少なくとも、前側切欠部１０ｂの上端よりも高い位置まで設けられ、好ましくは、クラウン前部１１，１２の高さの１／２以上の位置まで設けることが好ましい。本実施形態の帽子においては、図６に示すように、クラウン前部１１，１２における屈曲部付近の高さまで前立て３０を設けている。このため、前側切欠部１０ｂの全体が前立て３０で内側から覆われた状態となっている。また、クラウン前部１１，１２における中央部には、ワッペンや刺繍によりマーク７０（図１）が施されることが多いところ、このマーク７０が施される部分の裏側（内側）も、前立て３０で補強することができるようになっている。
【００５０】
４．ビン皮
ビン皮４０は、図３に示すように、クラウン１０の内側でクラウン１０の下縁に沿って環状に設けられた帯状の素材となっている。図６に示すように、ビン皮４０の下縁は、クラウン１０の下縁に沿って縫着（固着）される。前立て３０は、クラウン１０とビン皮４０との間に挟まれた状態に設けられる。ビン皮４０の上縁部は、クラウン１０に対して縫着されておらず、ふらされた状態となっている。
【００５１】
このビン皮４０は、着用者の頭部の汗を吸収する機能を有している。このため、ビン皮４０は、吸水性と速乾性に優れた素材で形成することが好ましい。本実施形態の帽子においては、内層（着用者の頭部に接触する側の層）に太い繊維を用い、外層に細い繊維を用いた織物でビン皮４０を形成している。このため、着用者の頭部の汗を毛細管現象によりビン皮４０に速やかに吸収させることができるようになっている。
【００５２】
５．サイズ調節ベルト
サイズ調節ベルト５０は、クラウン１０の下縁の周長を、帽子の着用者の頭囲に応じて調節するためのものとなっている。サイズ調節ベルト５０は、従来の帽子で採用されている各種のものを用いることができる。本実施形態の帽子では、サイズ調節ベルト５０を、左右一対のベルトで構成している。一方のベルトには、複数の凸部が所定間隔で設けられており、他方のベルトには、複数の凹部（前記凸部に嵌合可能な凹部）が所定間隔で繰り返し設けられている。このサイズ調節ベルト５０は、嵌合させる凹凸を切り替えることによって、長さを調節することができるものとなっている。
【００５３】
６．帽子の製造方法
続いて、上記の帽子の製造方法について説明する。既に述べたように、一般的な前立て付きの帽子では、クラウン１０に対して前立て３０と前鍔２０とを同時に縫着するところ、本発明に係る帽子を製造する際には、クラウン１０に対して前立て３０が位置ずれしないようにクラウン１０に対して前立て３０を縫着する前立て位置決め工程を行ってから、クラウン１０に対して前鍔２０を縫着する前鍔縫着工程を行うようになっている。これにより、前鍔縫着工程で前鍔２０とクラウン１０とをミシン掛けする際に、ミシンの操作者が手で押さえなければならない部材の数を少なくすることができる。
【００５４】
本実施形態の製造方法では、クラウン第一部分形成工程と、クラウン第二部分形成工程と、クラウン全体形成工程と、前立て位置決め工程と、ベンチレーション用メッシュ生地縫着工程と、前鍔縫着工程と、ビン皮縫着工程と、マーク入れ工程等を経て、帽子を製造するようにしている。後述するように、クラウン第二部分形成工程を行う際には、ベンチレーション用メッシュ生地縫着工程を同時に行い、クラウン全体形成工程を行う際には、前立て位置決め工程を同時に行い、前鍔縫着工程を行う際には、ビン皮縫着工程を同時に行うようにしている。以下、各工程について説明する。
【００５５】
７．クラウン第一部分形成工程
クラウン第一部分形成工程は、図７に示すように、クラウン前部１１，１２を構成する２枚の生地（れんげ）を繋ぎ合わせたクラウン第一部分１０ｃを得る工程である。図７は、本発明の帽子におけるクラウン１０を下方から見た状を示した底面図であって、クラウン１０に対して前立て３０等を縫着する前の状態を示した図である。クラウン左前部１１とクラウン右前部１２との縫合部分には、内側から裏打ちテープ（バイアステープ）を縫着している。
【００５６】
８．クラウン第二部分形成工程（ベンチレーション用メッシュ生地縫着工程）
クラウン第二部分形成工程は、図７に示すように、クラウン横部１３，１４及びクラウン後部１５，１６を構成する複数枚の生地（れんげ）を繋ぎ合わせたクラウン第二部分１０ｄを得る工程である。ベンチレーション用メッシュ生地縫着工程は、ベンチレーション用メッシュ生地６０をクラウン１０に対して縫着する工程である。本実施形態においては、クラウン第二部分形成工程を行う際に、ベンチレーション用メッシュ生地縫着工程も行うようにしている。
【００５７】
具体的には、クラウン左横部１３とクラウン左後部１５との縫合は、図７における線分Ｒ３Ｒ１０に沿った箇所で行い、クラウン右横部１４とクラウン右後部１６との縫合は、図７における線分Ｒ３Ｒ６に沿った箇所で行うところ、これらの縫合を行う際に、ベンチレーション用生地６０の左側の側縁Ｓ１Ｓ２を、クラウン左横部１３及びクラウン左後部１５における線分Ｒ１０Ｒ１１に沿った箇所に縫合し、ベンチレーション用生地６０の右側の側縁Ｓ５Ｓ５を、クラウン右横部１４及びクラウン右後部１６における線分Ｒ６Ｒ１２に沿った箇所に縫合するようにしている。これにより、ベンチレーション用生地縫着工程を別途行うことなく、クラウン１０に対してベンチレーション用生地６０を固定することが可能となっている。
【００５８】
ベンチレーション用生地６０は、その中央付近の箇所β（図３）でも、クラウン１０に対して縫着することは、既に述べたが、この箇所βにおける縫着も、このときに行うことができる。クラウン第一部分形成工程とクラウン第二部分形成工程（ベンチレーション用生地縫着工程）を終えると、続いて、クラウン全体形成工程及び前立て位置決め工程を行う。
【００５９】
９．クラウン全体形成工程及び前立て位置決め工程
クラウン全体形成工程は、図７に示すクラウン第一部分１０ｃとクラウン第二部分１０ｄとを縫合し、図８に示すように、半球状のクラウン１０を得る工程である。また、前立て位置決め工程は、クラウン１０に対して前立て３０が位置ずれしないようにクラウン１０に対して前立て３０を縫着する工程である。図８は、本発明の帽子におけるクラウン１０を下方から見た状態を示した底面図であって、クラウン１０に対して前立て３０等を縫着した後の状態を示した図である。本実施形態においては、クラウン全体形成工程を行う際に、前立て位置決め工程も行うようになっている。
【００６０】
具体的には、クラウン全体形成工程は、図７に示すように、クラウン第一部分１０ｃの外縁Ｑ１Ｑ７を、クラウン第二部分１０ｄの外縁Ｒ１Ｒ３に縫合し、クラウン第一部分１０ｃの外縁Ｑ５Ｑ７を、クラウン第二部分１０ｄの外縁Ｒ５Ｒ３に縫合することによって、行うところ、これらの縫合を行う際に、前立て３０の左側の側縁Ｐ１Ｐ８を、クラウン第一部分の外縁Ｑ１Ｑ８（クラウン第二部分の外縁Ｒ１Ｒ２）に縫合し、前立て３０の右側の側縁Ｐ５Ｐ６を、クラウン第一部分の外縁Ｑ５Ｑ６（クラウン第二部分の外縁Ｒ５Ｒ４）に縫合するようにしている。これにより、前立て位置決め工程を別途行うことなく、クラウン１０に対して前立て３０を動かない状態で固定することが可能となっている。したがって、帽子の製造工程をシンプルにすることができる。
【００６１】
加えて、外縁Ｑ１Ｑ７と外縁Ｒ１Ｒ３との縫合、及び、外縁Ｑ５Ｑ７と外縁Ｒ５Ｒ３との縫合は、袋縫い（クラウン第一部分１０ｃ及びクラウン第二部分１０ｄを裏返して、外縁Ｑ１Ｑ７と外縁Ｒ１Ｒ３、及び、外縁Ｑ５Ｑ７と外縁Ｒ５Ｒ３をそれぞれ中表の状態で重ねた状態で縫合した後、クラウン第一部分１０ｃ及びクラウン第二部分１０ｄを再び裏返す縫い方）によって行うため、その縫い目はクラウン１０の外側に表れない状態となる。したがって、この袋縫いの部分で前立て３０も縫合すれば、クラウン１０と前立て３０とを縫着した際の縫い目がクラウンの外側に表れないようにすることができる。よって、帽子の見栄えをさらに良くすることができる。
【００６２】
クラウン第一部分１０ｃ（クラウン前部１１，１２）を形成する生地には、クラウン第二部分１０ｄ（クラウン横部１３，１４及びクラウン後部１５，１６）を形成する生地よりも、厚手で硬めの生地（保形性に優れた生地）が用いられる場合が多く、この場合にクラウン１０を構成する各生地１１〜１６を不適切な順番で繋ぎ合わせると、クラウン１０の形が綺麗にならない場合がある。この点、本実施形態のように、まず、クラウン前部１１，１２を繋ぎ合わせてクラウン第一部分１０ｃとするとともに、クラウン横部１３，１４及びクラウン後部１５，１６を繋ぎ合わせてクラウン第二部分１０ｄとした後、クラウン第一部分１０ｃとクラウン第二部分１０ｄとを繋ぎ合わせるようにすることで、クラウン１０を綺麗な半球状に仕上げることができる。
【００６３】
その後、図８に示すように、クラウン全体形成工程における縫合部分に、内側から裏打ちテープ（バイアステープ）を縫着し、クラウン全体形成工程（前立て位置決め工程）が完了する。クラウン全体形成工程及び前立て位置決め工程を終えると、続いて、前鍔縫着工程及びビン皮縫着工程を行う。
【００６４】
１０．前鍔縫着工程及びビン皮縫着工程
前鍔縫着工程は、クラウン１０の下縁に対して前鍔２０を縫着する工程である。また、ビン皮縫着工程は、クラウン１０の下縁に対してビン皮４０を縫着する工程である。本実施形態においては、前鍔縫着工程を行う際に、ビン皮縫着工程も行うようになっている。
【００６５】
前鍔縫着工程及びビン皮縫着工程は、図８に示す状態のクラウン１０におけるクラウン前部１１，１２の下縁（同図における点Ｐ１，Ｐ２，Ｐ３，Ｐ４，Ｐ５を結ぶ区間）に前鍔２０の基端縁を重ねるとともに、クラウン１０の下縁における略全周部に、図９に示す状態のビン皮４０の下縁を重ね、クラウン１０を回転させながら、クラウン１０の下縁における略全周部をミシン等で縫合することによって行われる。図９は、本発明の帽子におけるビン皮４０を下方から見た状態を示した底面図である。
【００６６】
前鍔縫着工程及びビン皮縫着工程を終えたときには、前鍔２０の基端縁は、図８に示す区間Ｐ１Ｐ２（区間Ｑ１Ｑ２）及び区間Ｐ４Ｐ５（区間Ｑ４Ｑ５）でクラウン１０及び前立て３０に縫合され、区間Ｑ２Ｑ４で前立て３０に縫合された状態となる。クラウン１０の下縁における区間Ｑ２Ｑ４には、前側切欠部１０ｂが存在しているため、クラウン１０の下縁における区間Ｑ２Ｑ４は、前鍔２０の基端縁は縫合されない（図６を参照。）。前鍔縫着工程及びビン皮縫着工程を終えると、続いて、マーク入れ工程を行う。
【００６７】
１１．マーク入れ工程
マーク入れ工程は、クラウン前部１１，１２にマーク７０（図１）を入れる工程である。これにより、帽子の意匠性を高めることができる。マーク７０は、通常、クラウン前部１１，１２における、その内側（裏側）に前立て３０が重ねられる範囲に施される。マーク７０は、熱転写等によって入れてもよいが、本実施形態においては、刺繍により入れている。この刺繍は、クラウン前部１１，１２及び前立て３０を貫通した状態で行う。これにより、刺繍を施した部分（前立て３０の中央部分）でも、クラウン前部１１，１２に対して前立て３０を縫合することができ、クラウン前部１１，１２に対して前立て３０をさらにしっかりと固定することができる。
【００６８】
マーク入れ工程を終えると、帽子が完成する。完成後の帽子には、必要に応じて、スチームプレス等でクラウン１０の形を整える等の仕上げ工程を行ってもよい。
【００６９】
１２．帽子の製造方法のまとめ
以上のように、本実施形態の帽子の製造方法では、前立て位置決め工程において、クラウン１０に対して前立て３０を位置ずれしないように縫着してから、その後に行われる前鍔縫着工程において、クラウン１０に対して前鍔２０を縫着するようにしたことから、その前鍔縫着工程で前鍔２０とクラウンとをミシン掛けする際に、ミシンの操作者が前立て３０を手で押さえなくて済む。したがって、前立て３０を備えた帽子であっても容易に製造することができる。
【００７０】
また、本実施形態の帽子の製造方法では、前立て位置決め工程における前立て３０とクラウン１０との縫着を、前立て３０の左右の側縁をクラウン１０に対して縫着することによって行ったため、完成後の帽子におけるクラウン１０の下縁に沿った箇所には、前鍔縫着工程（ビン皮縫着工程）における縫い目が１本のみ形成されるようになる。加えて、前立て３０の左右の側縁は、クラウン１０におけるクラウン第一部分１０ｃとクラウン第二部分１０ｄとを縫合（袋縫い）する部分でクラウン１０に縫合したため、前立て３０の左右の側縁をクラウン１０に縫合した際の縫い目は、クラウン１０の外面に表れない。このため、帽子の見た目を良くすることができる。さらに、前立て３０の左右の側縁をクラウン１０に縫合したことで、クラウン前部１１，１２に対して前立て３０をしっかりと固定し、クラウン前部１１，１２の保形性を良好に保つことができるようになっている。さらにまた、工程数を減らして、帽子の製造コストを抑えることも可能になる。
【００７１】
１３．用途
本発明の製造方法で製造された帽子は、その用途を特に限定されず、各種の用途で用いることができる。なかでも、暑い環境下で着用されることが多い運動帽や作業帽や通学帽として好適に用いることができる。特に、野球帽として好適である。野球帽は、クラウンの前面部の内面に沿って前立てが設けられることが一般的であり、本発明の帽子に係る構成を無理のない自然な状態で実現することができるからである。
【符号の説明】
【００７２】
１０    クラウン
１０ａ  後側切欠部（切欠部）
１０ｂ  前側切欠部（切欠部）
１０ｃ  クラウン第一部分
１０ｄ  クラウン第二部分
１１    クラウン左前部（クラウン前部）
１２    クラウン右前部（クラウン前部）
１３    クラウン左横部（クラウン横部）
１４    クラウン右横部（クラウン横部）
１５    クラウン左後部（クラウン後部）
１６    クラウン右横部（クラウン後部）
２０    前鍔
２０ａ  空気透過部
２１    保形芯
２２ａ  上側生地
２２ｂ  上側生地
２３    下側生地
３０    前立て
４０    ビン皮
５０    サイズ調節ベルト
６０    ベンチレーション用メッシュ生地
６１    露出部
６２    非露出部
７０    マーク
【図１】
2022001681.tif 000003
【図２】
2022001681.tif 000004
【図３】
2022001681.tif 000005
【図４】
2022001681.tif 000006
【図５】
2022001681.tif 000007
【図６】
2022001681.tif 000008
【図７】
2022001681.tif 000009
【図８】
2022001681.tif 000010
【図９】
2022001681.tif 000011